(57)【要約】【課題】    本発明は、読者が気になるページに指を挟んで位置を特定するといった利用方法を可能とした電子表示装置を提供することを目的とする。【解決手段】  画像を表示する表示領域を有する表示手段１０１と、表示領域の周辺に設けられ、一端を軸に開閉可能に設置された複数の枠１０２と、表示手段１０１に設けられ、枠１０２が一端を軸に開閉する動作を検知する検知手段１０３と、検知手段１０３によって枠１０２の開閉が検知されると、表示手段１０１の表示内容を変更する画像変更手段とを具備する。枠１０２をページをめくるように開閉することで表示を変更する。こうすることで気になるページを見つけたときその枠を開いてページ送りし指をはさむことでそのページを特定することが可能となる。そのページを再び表示したい場合はその枠をもとに戻せばよい。【選択図】  図１
2006267223.tif 000002
【特許請求の範囲】
【請求項１】
画像を表示する表示領域を有する表示手段と、
前記表示領域の周辺に設けられ、一端を軸に開閉可能に設置された複数の枠と、
前記表示手段に設けられ、前記枠が前記一端を軸に開閉する動作を検知する検知手段と、
前記検知手段によって前記枠の開閉が検知されると、前記表示手段の表示内容を変更する画像変更手段とを具備することを特徴とする電子表示装置。
【請求項２】
前記枠の開閉に応じて前記表示画像が拡大或いは縮小することを特徴とする請求項１記載の電子表示装置。
【請求項３】
前記検知手段によって前記枠の開閉が検知されると、音声を発する音声手段をさらに具備することを特徴とする請求項１或いは請求項２記載の電子表示装置。
【発明の詳細な説明】
【技術分野】
【０００１】
本発明は、電子ブックなどの電子表示装置に関する。
【背景技術】
【０００２】
小説などを電子的に表示しボタンなどによってページをめくることができる電子書籍表示装置がある。これらの電子書籍表示装置では半導体メモリやハードディスクなど大容量メモリに何百冊もの小説を記憶することができ、いつでも好きな小説を持ち歩くことができる。
【０００３】
しかしながら電子書籍表示装置では、通常の紙ベースの書籍に比較して、どれくらい読んだか或いはあとどれくらい残っているかを直感的には把握できないという問題がある。
【０００４】
そこで引用文献１には、書籍の１ページ分の画像と、書籍のページ厚みを表現する画像を同時に表示領域に表示することで、どれくらい読み進んだか或いはあとどれくらい残っているのかが直感的に分かるようにした電子書籍表示装置が記載されている。この電子書籍表示装置は、ページ厚み画像で１ページ分の画像が厚さのどの位置にあるか分かるように境界線を表示し、ページをめくるごとにこの境界線が厚み方向に移動するようになっている。
【０００５】
一方で紙ベースの書籍では、読者が気になるページに指を挟んで位置を特定し、必要に応じてそのページを読み返すというような使い方ができる。しかしながら、引用文献１に記載したようなページ厚さを画像で示す方法では、電子的な栞をページに挟んだような画像を表示することはできるが実際にページに指を挟むことができない。
【特許文献１】特開２００４−２６５４３４号公報
【発明の開示】
【発明が解決しようとする課題】
【０００６】
このように従来の方法では、読者が気になるページに指を挟んで位置を特定するといった紙ベースの書籍と同様の利用方法ができないという問題がある。
【０００７】
本発明は、このような問題にかんがみてなされたもので、読者が気になるページに指を挟んで位置を特定するといった利用方法を可能とした電子表示装置を提供することを目的とする。
【課題を解決するための手段】
【０００８】
上記目的を達成するために、本発明は、画像を表示する表示領域を有する表示手段と、
前記表示領域の周辺に設けられ、一端を軸に開閉可能に設置された複数の枠と、
前記表示手段に設けられ、前記枠が前記一端を軸に開閉する動作を検知する検知手段と、
前記検知手段によって前記枠の開閉が検知されると、前記表示手段の表示内容を変更する画像変更手段とを具備することを特徴とする電子表示装置を提供する。
【０００９】
このとき、前記枠の開閉に応じて前記表示画像が拡大或いは縮小するようにしてもよい。
【００１０】
また、前記検知手段によって前記枠の開閉が検知されると、音声を発する音声手段をさらに具備してもよい。
【発明の効果】
【００１１】
本発明では、表示領域の周辺部に複数の枠を設け、この枠をページをめくるように開閉することで表示を変更する。こうすることで気になるページを見つけたときその枠を開いてページ送りし指をはさむことでそのページを特定することが可能となる。そのページを再び表示したい場合はその枠をもとに戻せばよい。
【発明を実施するための最良の形態】
【００１２】
以下、本発明の最良の実施形態について説明する。本発明はこれら実施形態に限定されることなく、種々工夫して用いることができる。
【００１３】
図１は、本発明の電子表示装置の斜視図と側面図である。
【００１４】
図１に示すように、この電子表示装置は表示装置１０１が一端を軸に折りたためるように対向して配置されている。表示装置１０１の周辺部には、枠上の栞部１０２が複数も受けられ一端を軸に開閉可能に設置されている。
【００１５】
表示装置１０１の側面部には栞部１０２の開閉状態を検知するセンサ１０３が設けられ、栞部１０２が一枚ずつ或いは複数枚ずつ開閉される動作を検知することができる。表示装置１０１の側面部には操作ボタン１０４が設けられ、ページ送り或いはページ戻しなどボタン操作によっても行えるようになっている。
【００１６】
図２は、この電子表示装置のページを覚える動作制御におけるデータの移動を説明するためのブロック図である。
【００１７】
図２に示すように、この電子表示装置では、現在の表示している文章の表示位置２０１と、栞部１０２の何枚目がめくられたかのセンサ１０３からの値２０２が処理部２０３に入力され、出力がデータ保存部２０４に保存されている。その保存内容は栞１枚目が１３ページ目に相当し、栞２枚目が２０ページ目に相当するといった内容である。これらの内容はテーブルとして記憶される。
【００１８】
図３は、この電子表示装置のページを再表示する動作制御におけるデータの移動を説明するためのブロック図である。
【００１９】
図３に示すように、この電子表示装置では、栞部１０２の何枚目が開かれたかのセンサ１０３の値３０１と、表示中の文章３０４が処理部３０２に入力される。さらにデータ保存部３０３に記憶されていた栞の枚数目と何ページ目かの情報が読み出され処理部３０２に入力される。処理部３０２ではこれらの情報から表示部３０５に対応するページの表示を行う。
【００２０】
このような電子表示装置では、表示装置１０１に電子的な表示を行い、通常読者は操作ボタン１０４で表示位置の制御を行う。表示位置の記録やインデキシングをする場合は、栞部１０２をめくる。こうするとセンサ１０３によって栞部１０２がめくられた動作が検知され、栞部１０２のＮ枚目と現在の表示位置を記録する。
【００２１】
メモリ２０１によって記憶されている現在表示している文章の表示位置とメモリ２０２によって記憶されているセンサ１０３から送られる栞部１０２が何枚目かの値を処理部２０３に入力して処理し、データ保存部２０４に対応関係を保存する。この処理は栞部１０２の数だけ繰り返して保存することができる。
【００２２】
栞部１０２を開いた場合、センサ１０３によって栞部１０２の何枚目が開かれたか検知し、対応した表示内容を表示装置１０１によって表示する。
【００２３】
図３に示すように、栞部１０２の何枚目が開かれたかというセンサ１０３の値３０１を入力とし、処理部３０２によってデータ保存部３０３から対応するデータを取り出す。次に、現在表示中の文書３０４より対応する位置を選択し、表示部３０５に表示を行う。
【００２４】
例えば、栞部１０２の一枚目を捲って薬指を挟んでおいたとき、表示装置１０１に表示中の文章が１３ページ目だったとする。その後文章を操作ボタン１０４でページ送りをしながら読み進み、次に２０ページ目を表示中に栞部１０２の２枚目を捲って中指を挟んでおく。
【００２５】
このとき薬指ではさんだページが気になり再び表示したいと思った場合、薬指で挟んだ栞部１０２を開くことにより、表示装置１０１に文章の１３ページ目を表示する。また、中指ではさんだページが気になり再び表示したいと思った場合は、中指ではさんだ栞部１０２を開くことにより、表示装置１０１に文章の２０ページ目を表示する。こうして書籍に指を挟んで文章の位置を特定するような間隔でページを再生することが可能となる。
【００２６】
また、栞部１０２と文章の表示位置の対応関係を更新するためには、文章の表示位置を操作ボタン１０４で変更し、再度栞部１０２を捲るようにすればよい。また、現在表示しているページを現在開いている栞部１０２と対応付けるためのキーを操作ボタン１０４に設けることにより更新処理をすることも可能である。
【００２７】
また、この実施形態では、表示装置１０１と栞部１０２、センサ１０３が一体となっている例を示したが、ＰＣなどのソフトウエア、栞部及びセンサとＰＣなどとの接続部により構成されるインターフェースとしても良い。
【００２８】
また、この実施形態では、文章の表示位置のみを記録していたが、栞の開閉に応じて文章の拡大率を変更しても良い。
【００２９】
また、この実施形態では、文章の表示を説明したが、音声や静止画、動画などの表示を含めたものを記録し、栞の動きでこれらの再生を可能としても良い。
【００３０】
その他本発明の要旨のなかで種々変更して用いることができる。
【図面の簡単な説明】
【００３１】
【図１】本発明の電子表意装置の斜視図及び側面図。
【図２】本発明の電子表示装置のページを覚える動作制御におけるデータの移動を説明するためのブロック図
【図３】本発明の電子表示装置のページを再表示する動作制御におけるデータの移動を説明するためのブロック図
【符号の説明】
【００３２】
１０１…表示装置
１０２…栞部
１０３…センサ
１０４…操作ボタン
【図１】
2006267223.tif 000003
【図２】
2006267223.tif 000004
【図３】
2006267223.tif 000005